(57)【要約】【課題】  歩き易く、かつ、爪先が障害物に当たっても、ソールがブーツ本体から剥がれにくいブーツを提供する。【解決手段】  このブーツは、クロロプレンゴムなどからなるブーツ本体１と、ブーツ本体１の底面に面ファスナで貼り付けられたソール２とを備えている。ソール２は、面ファスナ層１１と、ＥＶＡ層１２と、フェルト層１３との３層構造である。フェルト層１３には幅方向に延びる切り込みＸが長手方向に間隔を隔てて複数箇所に底面からＥＶＡ層１２の途中にまで形成されている。【選択図】  図３
2005027943.tif 000002
【特許請求の範囲】
【請求項１】
ブーツ本体と、
前記ブーツ本体の底面に貼り付けられたソールとを備え、
前記ソールは、前記ブーツ本体の底面に貼り付けるための貼り付け層と、前記貼り付け層に積層された硬質ゴム層と、前記硬質ゴム層に積層されるフェルト層とを有し、前記フェルト層及び硬質ゴム層には、幅方向に延びる切り込みが長手方向に間隔を隔てて複数箇所に前記フェルト層の底面から前記硬質ゴム層の一部にまで形成されている、ブーツ。
【請求項２】
前記切り込みは波形形状に前記フェルト層の幅方向に延びている、請求項１に記載のブーツ。
【請求項３】
前記ソールは前記ブーツ本体に対して脱着自在である、請求項１または２に記載のブーツ。
【請求項４】
魚釣用ブーツのブーツ本体の底面に貼り付けるためのソールであって、
前記ブーツ本体の底面に貼り付けるための貼り付け層と、
前記貼り付け層に積層された硬質ゴム層と、
前記硬質ゴム層に積層されたフェルト層とを有し、
前記フェルト層及び硬質ゴム層には、幅方向に延びる切り込みが長手方向に間隔を隔てて複数箇所に前記フェルト層の底面から前記硬質ゴム層の一部にまで形成されている、ブーツのソール。
【請求項５】
前記切り込みは波形形状に前記フェルト層の幅方向に延びている、請求項４に記載のブーツのソール。
【発明の詳細な説明】
【技術分野】
【０００１】
本発明は、底面にフェルトソールを有し、濡れて滑りやすい場所でも歩き易いように工夫されている魚釣り等の際等に用いられるブーツに関する。また、このようなブーツの底面に貼り合わされるソールに関する。
【背景技術】
【０００２】
磯釣りや渓流釣り等においては、釣人は濡れてコケの生えた岩場や水中を歩くことになる。そこで、このような滑り易い箇所でも歩きやすいように工夫されたブーツが提案されている。
【０００３】
一般的なこの種のブーツは、ブーツ本体と、ブーツ本体の底面に装着されたフェルト製のソールとを有する。フェルトソールは合繊繊維フェルトを靴底形状に加工したものであり、ブーツ本体に接着されあるいは面ファスナなどで脱着自在に装着されている（例えば、特許文献１参照）。このように靴底に装着されるフェルトソールが、濡れた釣船の甲板や濡れた苔の生えた岩場など滑りやすい環境においても十分な滑り止め効果を奏し、釣人は安全に歩行することが可能となる。さらに、一般的なフェルト製のソールに代えて、ポリエステル等の繊維にゴムを含浸させる等した特殊なフェルト製のソールも提案されている（特許文献２参照）。
【特許文献１】特開平06-209801号公報
【特許文献２】特開平10-42905号公報
【発明の開示】
【発明が解決しようとする課題】
【０００４】
このような釣用ブーツに装着されているフェルトソールは、合繊繊維フェルトを靴底形状に形成した１枚の板状の部材である。他方、ブーツ本体はクロロプレンなどの比較的柔軟性に富む素材から構成されている。よって、フェルトソールはブーツ本体に比較して柔軟性に劣る。このため、フェルトソール付きの釣用ブーツを着用して岩場等を歩く場合、フェルトソールによって滑り止め効果は十分に発揮するものの、フェルトソールがブーツ本体のように屈曲せず歩きにくいという問題がある。このような問題は上記特許文献２のような素材からソールを形成しても改善し難い。そこで、足下の凹凸が激しく足場の不安定な岩場においても、柔軟性に富み歩きやすいブーツの提供が求められている。
【０００５】
他方、上記特許文献１に示すように、フェルトソールがブーツ本体から脱着自在になっている場合は勿論、フェルトソールがブーツ本体に固定されている場合であっても、爪先が障害物に当たるとフェルトソールがブーツ本体から剥がれやすいという問題もある。これは、フェルトソールはブーツ本体に比較して屈曲性に劣るとはいえ一定の柔軟性を有するので、爪先が障害物に当たると、フェルトソールが靴底側に屈曲し、ブーツ本体から剥離してしまうために生じる現象である。従って、フェルトソールの柔軟性を単純に高めて歩き易いブーツにしても、実用性に欠ける場合がある。
【０００６】
本発明の課題は、柔軟性に富み歩き易い釣り用ブーツを提供することにある。さらに、履き易くソールがブーツ本体から剥離し難いブーツを提供することにある。
【課題を解決するための手段】
【０００７】
本発明のブーツは、ブーツ本体と、ブーツ本体の底面に貼り付けられたソールとを備えるものである。このソールは、ブーツ本体の底面に貼り付けるための貼り付け層と、貼り付け層に積層された硬質ゴム層と、硬質ゴム層に積層されるフェルト層とを有し、フェルト層及び硬質ゴム層には、幅方向に延びる切り込みが長手方向に間隔を隔てて複数箇所にフェルト層の底面から硬質ゴム層の一部にまで形成されている。
【０００８】
ソールはその貼り付け層を介してブーツ本体の底面に貼り付けられている。このブーツを履いて歩く場合、フェルト層の底面から形成された幅方向に延びる切り込みにより、ソールは側面方向から見て上空方向（底方向と反対方向）には比較的容易に屈曲する。即ち、ソールのフェルト層がブーツ本体に追随して屈曲するので歩き易い。他方、ソールは側面方向から見て底方向には屈曲し難い。従って、爪先が障害物に当たりソールにブーツ本体から剥がれる方向への力か加わっても、ソールはブーツ本体から剥がれにくくなっている。特に、フェルト層のみではなく、硬質ゴム層がフェルト層と共にソールの底方向への屈曲性を抑える。従って、爪先に障害物が当たってもよりソールはブーツ本体から剥がれにくい。他方、硬質ゴム層にまで切り込みが形成されているから、ソールは側面方向から見て上空方向（底方向と反対方向）には比較的容易に屈曲することができる。
【０００９】
この切り込みはフェルト層を縦断して硬質ゴム層まで至っており、フェルト層は長手方向において分断されることになり、従って、分断されたフェルト層はそれぞれ独立して硬質ゴム層の動きに追従する。
【００１０】
なお、この切り込みは波形形状にフェルト層の幅方向に延びるように形成してもよい。さらに、ソールはブーツ本体に対して脱着自在にしてもよい。使用してソールのフェルトが潰れたり破損したりした場合には、ソールを交換する。
【００１１】
また、本発明のソールは、魚釣用ブーツのブーツ本体の底面に貼り付けるためのソールである。そして、このソールは、ブーツ本体の底面に貼り付けるための貼り付け層と、貼り付け層に積層された硬質ゴム層と、硬質ゴム層に積層されたフェルト層とを有している。フェルト層及び硬質ゴム層には、幅方向に延びる切り込みが長手方向に間隔を隔てて複数箇所にフェルト層の底面から硬質ゴム層の一部にまで形成されている。
【００１２】
このようなソールはブーツ本体の底面に貼り付け層によって貼り付けられて使用される。また、この切り込みは波形形状にフェルト層の幅方向に延びているようにしてもよい。
【発明の効果】
【００１３】
本発明に係るブーツは歩きやすく、また、爪先が障害物などに当たってもソールが剥がれにくい。
【発明を実施するための最良の形態】
【００１４】
［第１実施形態］
以下、本発明の第１実施形態について図面を参照しつつ説明する。
【００１５】
本発明の第１実施形態を採用した釣用ブーツは、図１に示すように、ブーツ本体１と、ブーツ本体１の靴底面に脱着自在に装着可能なソール２とから構成されている。
【００１６】
ブーツ本体１は、例えば、発泡合成ゴム・クロロプレンゴム等からなるゴム層にナイロン繊維からなる伸縮性ジャージ部材を貼り合わせた積層構造を有し、防水加工を施したものである。ブーツ本体１の表面には商品イメージに合わせて様々な模様等が描かれ、部分的には補強用のゴム部材が、例えば、つま先部分からかかと部分など底面周囲などに貼り付けられている。
【００１７】
ブーツ本体１の底面の周縁には底方向に起立する壁部分が形成されており、この壁部分によってブーツ本体１の底面には取り付け空間が形成されている。この取り付け空間内のブーツ本体１の底面には面ファスナＡが貼り付けられている。壁部分の高さは後述のソール２の厚さに比較して短く、ソール２をブーツ本体１の底面に貼り合わせた際には、ソール２の底面が壁部分より底方向に突出する。
【００１８】
ソール２は、図２及び図３に示すように、ブーツ本体１の底面形状に合わせて形成された板状の部材である。ソール２は詳しくは、面ファスナ層１１と、ＥＶＡ層１２と、フェルト層１３との３層構造になっている。
【００１９】
面ファスナ層１１は上述のブーツ本体１の底面の面ファスナＡに脱着自在に貼り合わせられる層である。この面ファスナ層１１はＥＶＡ層１２の上面側に接着剤等によって貼り合わされている。このＥＶＡ層１２は、ＥＶＡ樹脂の３〜６ｍｍ程度の厚さの薄板形の層である。
【００２０】
フェルト層１３は、ＥＶＡ層１２の下面側に接着剤等によって貼り合わせられている。フェルト地を１０〜２０ｍｍ程度の厚さに設定した薄板状部材である。フェルト地はポリプロピレン等の合成繊維に合成樹脂を含浸させて構成されている。このフェルト層１３の下面（底面）からは、靴底の幅方向に伸びる切り込みＸが形成されている。切り込みＸはソール２を幅方向に横断している。切り込みＸはソール２の長手方向に間隔を隔てて複数形成されており、個々の切り込みＸは波形に形成されている（図２参照）。切り込みＸはソール２の長手方向においては爪先側に集中して形成される。好ましくは、ソール２の長手方向において、爪先から２／３程度の領域において切り込みＸを複数形成する。形成する切り込みＸの数は任意である。
【００２１】
また、この切り込みＸは、図３に示すように、深さ方向においてみると、フェルト層１３を縦断してＥＶＡ層１２に至っている。ＥＶＡ層１２の深さ方向の凡そ１／２程度まで、切り込みＸが形成されている。
【００２２】
このようなソール２の面ファスナ１１をブーツ本体１の面ファスナＡに貼り付けて、このブーツは使用される。このブーツを履いて歩く場合、図４（ａ）に示すように、クロロプレン等からなり屈曲性に富むブーツ本体１はユーザの足の動きにあわせて、側面方向から見て上空方向（底方向と反対方向）に屈曲する。特に、ユーザが歩く場合には、爪先から土踏まず付近にかけての部分が大きく上空方向に向かって反り返る。この際、フェルト層１３の底面から形成された幅方向に延びる切り込みＸにより、フェルト層１３及びＥＶＡ層１２が長手方向において分割されて、ソール２もブーツ本体１にあわせて側面方向から見て上空方向に比較的容易に屈曲するので歩き易い。
【００２３】
他方、フェルト層１３の底面から形成された幅方向に延びる切り込みＸがあっても、図４（ｂ）に示すように、フェルト層１３及びＥＶＡ層１２は側面方向から見て底方向には屈曲し難い。従って、爪先が障害物に当たりソール２にブーツ本体１から剥がれる方向への力か加わっても、爪先側から面ファスナＡより面ファスナ１１が剥がれて、ソール２がブーツ本体１から剥がれ落ちてしまうこともない。特に、フェルト層１３より硬く屈曲性に乏しいＥＶＡ層１２をソール２に設けたことで、ソール２の底方法への屈曲がより制限されている。
【００２４】
さらに、フェルト層１３は濡れた箇所で使用していると、水を含んで重くなりがちであるが、切り込みＸから水が吐き出されやすく、不当にブーツが重くなることもない。
【００２５】
［他の実施形態］
（ａ）上記実施形態では特に言及していないものの、フェルト層には金属製のスパイクを埋め込んでもよい。この場合には、上記第１実施形態のように、ＥＶＡ層をフェルト層と共にソールに設ける。この金属製のスパイクは、フェルト層を深さ方向に貫通しており、先端がフェルト層の底面に凡そ一致し、基端がＥＶＡ層内に配置される。
（ｂ）切り込みＸの形状はこれに限定されるものではなく、斜め方向等任意に設定することも可能である。また、ソールの長手方向全体にわたって、長手方向に間隔を隔てつつ複数の切り込みＸを形成してもよい。
（ｃ）また、上記実施形態では、ソールをブーツ本体に対して脱着自在にしているが、ソールとブーツ本体とは接着剤等により脱着不能としてもよい。この場合、ソールの貼り付け層は当該接着剤に相当することになる。
【図面の簡単な説明】
【００２６】
【図１】本発明の第１実施形態を採用したブーツの全体図。
【図２】図１の釣用ブーツのソール２の底面図。
【図３】図１の釣り用ブーツのソール２の側面図。
【図４】（ａ）図１のブーツを履いて歩く場合と、（ｂ）爪先が障害物に当たった場合を示した図。
【符号の説明】
【００２７】
１  ブーツ本体
２  ソール
１１，３１  面ファスナ
１２  ＥＶＡ層
１３，３３  フェルト層
Ｘ  切り込み
【図１】
2005027943.tif 000003
【図２】
2005027943.tif 000004
【図３】
2005027943.tif 000005
【図４】
2005027943.tif 000006